(57)【要約】      （修正有）【課題】眼鏡に装着するタイプのマウスシールドにおいて構成を簡素化する。【解決手段】装着者１０の口１１の前方で、口からの飛沫を遮るマウスシールド２０は、シート材により構成され、装着時に口に対面するシールド本体部２２と、眼鏡１５の一対のテンプル１６に、マウスシールドを取り付ける一対の取付部２４とを備える。一対の取付部は、シールド本体部を構成するシート材の左右にそのシート材の一部として設けられた一対の帯状部の各々が折り返されて、各帯状部の端部がシート材に固定されることで、テンプルを通すことが可能に構成される。【選択図】図１
0003229207.tif 000002
【実用新案登録請求の範囲】
【請求項１】
装着者の口の前方で、その口からの飛沫を遮るマウスシールドであって、
シート材により構成されて、装着時に口に対面するシールド本体部と、
眼鏡の一対のテンプルに、当該マウスシールドを取り付けるために用いられる一対の取付部とを備え、
前記一対の取付部は、前記シールド本体部を構成するシート材の左右に前記シート材の一部として設けられた一対の帯状部の各々が折り返されて、各帯状部の端部が前記シート材に固定されることで、前記テンプルをそれぞれに通すことが可能に構成されている、マウスシールド。
【請求項２】
前記シート材には、前記帯状部の折り目で折り返しても破損しない柔軟な素材が用いられている、請求項１に記載のマウスシールド。
【考案の詳細な説明】
【技術分野】
【０００１】
本考案は、装着者の口の前方で、その口からの飛沫を遮るマウスシールド等に関する。
【背景技術】
【０００２】
従来から、マウスシールドが知られている。マウスシールドは、口からの飛沫の拡散を抑制することができ、新型コロナウイルス蔓延に伴う新しい生活様式において感染予防に有用である。
【０００３】
ところで、マウスシールドには、マスクのように、装着にゴムを用いるものがある。しかし、ゴムによる装着は、装着者によっては、耳に痛みを感じる場合がある。このような問題が生じないものとして、眼鏡に装着するタイプの歯科用防護バイザーが、特許文献１に記載されている。
【先行技術文献】
【特許文献】
【０００４】
【特許文献１】特開昭６３−２９０５６３号公報
【考案の概要】
【考案が解決しようとする課題】
【０００５】
しかし、特許文献１に記載の従来品は、口の前方に位置するスクリーンを眼鏡に装着するために、スクリーンとは別途に、支持要素及び２本の棒が用いられており、構成が簡素とは言い難い。
【０００６】
本考案は、このような事情に鑑みてなされたものであり、眼鏡に装着するタイプのマウスシールドにおいて構成を簡素化することを目的とする。
【課題を解決するための手段】
【０００７】
上述の課題を解決するべく、第１の考案は、装着者の口の前方で、その口からの飛沫を遮るマウスシールドであって、シート材により構成されて、装着時に口に対面するシールド本体部と、眼鏡の一対のテンプルに、当該マウスシールドを取り付けるために用いられる一対の取付部とを備え、一対の取付部は、シールド本体部を構成するシート材の左右にシート材の一部として設けられた一対の帯状部の各々が折り返されて、各帯状部の端部がシート材に固定されることで、テンプルをそれぞれに通すことが可能に構成されている。
【０００８】
第２の考案は、第１の考案において、シート材には、帯状部の折り目で折り返しても破損しない柔軟な素材が用いられている。
【考案の効果】
【０００９】
本考案では、一対の取付部が、シールド本体部を構成するシート材の一部として設けられた一対の帯状部から構成されている。そのため、一対の取付部を設けるために、シールド本体部のシート材とは別途に部材を準備する必要がない。本考案によれば、眼鏡に装着するタイプのマウスシールドにおいて構成を簡素化することができる。
【図面の簡単な説明】
【００１０】
【図１】図１は、本実施形態に係るマウスシールドを人が装着した状態の斜視図である。
【図２】図２は、マウスシールドの展開図である。
【考案を実施するための形態】
【００１１】
以下、図面を参照しながら、本考案の実施形態を詳細に説明する。なお、以下の実施形態は、本考案の一例であって、本考案、その適用物、あるいはその用途の範囲を制限することを意図するものではない。
【００１２】
［マウスシールドの構成］
本実施形態は、図１に示すマウスシールド２０である。マウスシールド２０は、装着者１０の口１１の前方で、その口１１からの飛沫を遮る機能を有する。
【００１３】
マウスシールド２０は、装着者１０の口１１に対面するシールド本体部２２と、装着者１０により装着される眼鏡１５の一対のテンプル（つる）１６にマウスシールド２０を取り付けるために用いられる一対の取付部２４とを備えている。本実施形態では、シールド本体部２２及び一対の取付部２４が、１枚のシート材により構成されている（図２参照）。このシート材には、透明で柔軟なプラスチック製の素材（例えば、ポリプロピレン）を用いることができる。
【００１４】
シールド本体部２２は、図２の展開図に示すように、左右対称の形状を呈する。シールド本体部２２では、左右方向（横方向）における中央部の高さが高く、中央部から左右の端に近づくに従って高さが徐々に低くなっている。なお、シールド本体部２２の平面形状は、口からの飛沫を有効に遮ることができればよく、図２の形状に限定されるものではない。
【００１５】
一対の取付部２４は、シールド本体部２２を構成するシート材の左右にそのシート材の一部として設けられた一対の帯状部２６から構成されている。一対の取付部２４は、一対の帯状部２６の各々が折り返されて、各帯状部２６の上端部２８がシート材（具体的には、帯状部２６における折り目２７の下側）に固定されることで、テンプル１６をそれぞれに通すことが可能に構成されている。
【００１６】
マウスシールド２０に組み立てる前のシート材（図２のシート材）において、各帯状部２６は、シールド本体部２２の左右の各端部から上方に延びている。左右の帯状部２６は、互いに同じ平面形状である。帯状部２６は、下側から上側に向かうに従って、幅が徐々に広がり、途中から幅が一定になっている。なお、左右の帯状部２６は、必ずしも同じ平面形状にする必要はない。
【００１７】
各帯状部２６には、左右方向に延びる折り目２７と、折り目２７で折り曲げた際に互いに重なる上側重複部（上側端部）２８及び下側重複部２９とが設けられている。上側重複部２８及び下側重複部２９には、互いに嵌り合う一対のボタン３０，３１が設けられている。一対のボタン３０，３１には、例えばホックボタンを用いることができる。各帯状部２６を折り目２７で折り曲げて、一対のボタン３０，３１を互いに固定することで、取付部２４が構成される。
【００１８】
［本実施形態の効果等］
本実施形態に係るマウスシールド２０は、図１に示すように、一対の取付部２４に眼鏡１５における一対のテンプル１６を通すことで、眼鏡１５に対し取付け可能である。そして、眼鏡１５が人１０に装着されることで、マウスシールド２０が人１０に装着された状態になる。また、一対の取付部２４から一対のテンプル１６を引き抜くことで、眼鏡１５からマウスシールド２０を取り外し可能である。
【００１９】
本実施形態では、一対の取付部２４が、シールド本体部２２を構成するシート材の一部により構成されている。そのため、一対の取付部２４を設けるために、シールド本体部２２のシート材とは別途に部材を準備する必要がない。本実施形態によれば、眼鏡１５に装着するタイプのマウスシールド２０において構成を簡素化することができる。
【００２０】
また、本実施形態では、シールド本体部２２及び各取付部２４を構成するシート材に、帯状部２６の折り目２７で折り返しても破損しない柔軟な素材が用いられている。そのため、マウスシールド２０のサイズが装着者１０に合わない場合に、マウスシールド２０の外周部分を切り取ってマウスシールド２０のサイズ調整を行うことができる。図２における破線３５は、切り取り箇所の一例である。
【００２１】
また、本実施形態では、シート材に柔軟な素材が用いられているため、シールド本体部２２の左右の中心にてマウスシールド２０自体を折り曲げて、その折り曲げ状態を調整することができるし、上記の左右の中心にて折り曲げて右側部分と左側部分を重ねることでコンパクト化することができ、持ち運びや収納が容易になる。
【００２２】
［その他の実施形態］
上述の実施形態では、帯状部２６を折り返して帯状部２６の端部をシート材に固定するのに、ボタン３０，３１を用いているが、この固定を他の手段（例えば接着剤）により行ってもよい。
【００２３】
上述の実施形態において、シールド本体部２２は装着者１０の目を覆うように上側まで延びていてもよい。
【産業上の利用可能性】
【００２４】
本考案は、装着者の口の前方で、その口からの飛沫を遮るマウスシールド等に適用可能である。
【符号の説明】
【００２５】
１０      装着者、人
１５      眼鏡
１６      テンプル
２０      マウスシールド
２２      シールド本体部
２４      取付部
２６      帯状部
【図１】
0003229207.tif 000003
【図２】
0003229207.tif 000004